【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
緯糸とは異なる経糸を有する織製された布帛を含む熱防護用衣料物品であって、前記布帛が前記物品の内面および外面を形成し、さらに前記布帛が経浮きまたは緯浮きで綾織りされており、
ａ）前記物品の前記外面の過半部分が前記布帛の前記経糸である第１糸であり、かつ前記物品の前記内面の過半部分が前記布帛の前記緯糸である第２糸であるか、または
ｂ）前記物品の前記外面の過半部分が前記布帛の緯糸である第１糸であり、かつ前記物品の前記内面の過半部分が前記布帛の前記経糸である第２糸であるか
のいずれかであり、かつ
前記物品の前記外面の前記過半部分を形成する前記第１糸が、親水性繊維および第１難燃繊維を含み、前記糸の少なくとも２５重量パーセントが親水性繊維であり、かつ
前記物品の前記内面の前記過半部分を形成する前記第２糸が、疎水性である第２難燃繊維を少なくとも８０重量パーセント含む、
物品。
【請求項２】
緯糸とは異なる経糸を有する織製された布帛を含む熱防護用衣料物品であって、前記布帛が前記物品の内面および外面を形成し、さらに前記布帛が経浮きまたは緯浮きで綾織りされており、
ａ）前記物品の前記外面の過半部分が前記布帛の前記経糸である第１糸であり、かつ前記物品の前記内面の過半部分が前記布帛の前記緯糸である第２糸であるかまたは
ｂ）前記物品の前記外面の過半部分が前記布帛の緯糸である第１糸であり、かつ前記物品の前記内面の過半部分が前記布帛の前記経糸である第２糸であるか
のいずれかであり、
前記物品の前記外面の前記過半部分を形成する前記第１糸が、親水性の第１難燃繊維を少なくとも２５重量パーセント含み、かつ
前記物品の前記内面の前記過半部分を形成する前記第２糸が、疎水性である第２難燃繊維を少なくとも８０重量パーセント含む、
物品。
【請求項３】
経浮きで綾織りされた単層布帛から作製されたカバーオール物品、シャツ物品、またはズボン物品であって、前記布帛が緯糸と異なる経糸を有し、前記布帛が前記物品の内面および外面を形成し、
ａ）前記物品の前記外面の過半部分が前記布帛の前記経糸である第１糸であり、かつ前記物品の前記内面の過半部分が前記布帛の前記緯糸である第２糸であるかまたは
ｂ）前記物品の前記外面の過半部分が前記布帛の緯糸である第１糸であり、かつ前記物品の前記内面の過半部分が前記布帛の前記経糸である第２糸であるか
のいずれかであり、かつ
前記物品の前記外面の前記過半部分を形成する前記第１糸が、
ｉ）親水性繊維および第１難燃繊維を含み、前記糸の少なくとも２５重量パーセントが親水性繊維であるかまたは
ｉｉ）親水性の第１難燃繊維を少なくとも２５重量パーセント含むか
のいずれかであり、かつ
前記物品の前記内面の前記過半部分を形成する前記第２糸が、疎水性である第２難燃繊維を少なくとも８０重量パーセント含む、
物品。
【手続補正２】
【補正対象書類名】明細書
【補正対象項目名】００６２
【補正方法】変更
【補正の内容】
【００６２】
実施例５
実施例１〜４の布帛の一部を様々な形状に裁断して縫い合わせることにより、各布帛を熱的危険源（ｔｈｅｒｍａｌ  ｈａｚａｒｄ）暴露時に有用な単層防護カバーオール、シャツ、およびズボンにする。
次に、本発明の態様を示す。
1.  緯糸とは異なる経糸を有する織製された布帛を含む熱防護用衣料物品であって、前記布帛が前記物品の内面および外面を形成し、さらに前記布帛が経浮きまたは緯浮きで綾織りされており、
ａ）前記物品の前記外面の過半部分が前記布帛の前記経糸である第１糸であり、かつ前記物品の前記内面の過半部分が前記布帛の前記緯糸である第２糸であるか、または
ｂ）前記物品の前記外面の過半部分が前記布帛の緯糸である第１糸であり、かつ前記物品の前記内面の過半部分が前記布帛の前記経糸である第２糸であるか
のいずれかであり、かつ
前記物品の前記外面の前記過半部分を形成する前記第１糸が、親水性繊維および第１難燃繊維を含み、前記糸の少なくとも２５重量パーセントが親水性繊維であり、かつ
前記物品の前記内面の前記過半部分を形成する前記第２糸が、疎水性である第２難燃繊維を少なくとも８０重量パーセントを含む、
物品。
2.  前記経浮きの綾織りが、１／２、２／１、１／３、または３／１の綾織りである、上記１に記載の物品。
3.  前記親水性繊維が、セルロース系繊維、羊毛繊維、またはこれらの混合物である、上記１に記載の物品。
4.  前記セルロース系繊維が、レーヨン繊維、ビスコース繊維、綿繊維、リヨセル繊維、またはこれらの混合物である、上記３に記載の物品。
5.  前記セルロース系繊維が、難燃剤を付与されている、上記４に記載の物品。
6.  前記第１または第２難燃繊維が、モダクリル繊維、アラミド繊維、ポリアレーナゾール繊維、ポリスルホン繊維、またはこれらの混合物である、上記１に記載の物品。
7.  前記第１または第２糸のいずれか一方または両方が、モダクリル繊維およびセルロース系繊維の混繊物を含む、上記１に記載の物品。
8.  前記第１または第２糸のいずれか一方または両方が、ＦＲレーヨン繊維およびアラミド繊維の混繊物を含む、上記１に記載の物品。
9.  ｉ）前記外面の前記過半部分を形成する前記第１糸が、リヨセル繊維を４０％、モダクリル繊維を５０％、およびパラ系アラミド繊維を１０％を含み、かつ
ｉｉ）前記内面の前記過半部分を形成する前記第２糸が、メタ系アラミド繊維を１００％を含む、上記１に記載の物品。
10.  ｉ）前記外面の前記過半部分を形成する前記第１糸が、ＦＲレーヨン繊維を５０％、メタ系アラミド繊維を３０％、およびナイロン繊維を２０％を含み、かつ
ｉｉ）前記内面の前記過半部分を形成する前記第２糸が、メタ系アラミド繊維を１００％を含む、上記１に記載の物品。
11.  緯糸とは異なる経糸を有する織製された布帛を含む熱防護用衣料物品であって、前記布帛が前記物品の内面および外面を形成し、さらに前記布帛が経浮きまたは緯浮きで綾織りされており、
ａ）前記物品の前記外面の過半部分が前記布帛の前記経糸である第１糸であり、かつ前記物品の前記内面の過半部分が前記布帛の前記緯糸である第２糸であるかまたは
ｂ）前記物品の前記外面の過半部分が前記布帛の緯糸である第１糸であり、かつ前記物品の前記内面の過半部分が前記布帛の前記経糸である第２糸であるか
のいずれかであり、
前記物品の前記外面の前記過半部分を形成する前記第１糸が、親水性の第１難燃繊維を少なくとも２５重量パーセント含み、かつ
前記物品の前記内面の前記過半部分を形成する前記第２糸が、疎水性である第２難燃繊維を少なくとも８０重量パーセントを含む、
物品。
12.  前記親水性の第１難燃繊維が、ポリオキサジアゾール繊維である、上記１１に記載の物品。
13.  前記第１糸が、耐摩耗性繊維をさらに含む、上記１１に記載の物品。
14.  前記耐摩耗性繊維が、ナイロン繊維である、上記１３に記載の物品。
15.  経浮きで綾織りされた単層布帛から作製されたカバーオール物品、シャツ物品、またはズボン物品であって、前記布帛が緯糸と異なる経糸を有し、前記布帛が前記物品の内面および外面を形成し、
ａ）前記物品の前記外面の過半部分が前記布帛の前記経糸である第１糸であり、かつ前記物品の前記内面の過半部分が前記布帛の前記緯糸である第２糸であるかまたは
ｂ）前記物品の前記外面の過半部分が前記布帛の緯糸である第１糸であり、かつ前記物品の前記内面の過半部分が前記布帛の前記経糸である第２糸であるか
のいずれかであり、かつ
前記物品の前記外面の前記過半部分を形成する前記第１糸が、
ｉ）親水性繊維および第１難燃繊維を含み、前記糸の少なくとも２５重量パーセントが親水性繊維であるかまたは
ｉｉ）親水性の第１難燃繊維を少なくとも２５重量パーセントを含むか
のいずれかであり、かつ
前記物品の前記内面の前記過半部分を形成する前記第２糸が、疎水性である第２難燃繊維を少なくとも８０重量パーセントを含む、
物品。